(57)【要約】【課題】スーパーやコンビニエンスストア等の店舗において使用されている棚における上記実状を改善すること。【解決手段】適宜場所に立設される支柱１１と、この支柱１１に略水平状に支持されて、内側面に伸縮自在な引出レール１２ａを有するブラケット１２と、このブラケット１２の引出レール１２ａに支持されるブライド棚１３と、このスライド棚１３上にスラストベアリング１４ａを介して回転可能に支持した回転棚１４とを備えて、回転棚１４を、引出レール１２ａによりスライド棚１３とともに手前側に引き出し可能とするとともに、引き出されたスライド棚１３上にて回転可能としたこと。【選択図】図１
2004081294.tif 000002
【特許請求の範囲】
【請求項１】
適宜場所に立設される支柱と、この支柱に略水平状に支持されて、内側面に伸縮自在な引出レールを有するブラケットと、このブラケットの前記引出レールに支持されるブライド棚と、このスライド棚上にスラストベアリングを介して回転可能に支持した回転棚とを備えて、
前記回転棚を、前記引出レールにより前記スライド棚とともに手前側に引き出し可能とするとともに、引き出された前記スライド棚上にて回転可能としたことを特徴とする陳列棚。
【請求項２】
前記スライド棚の上面または回転棚の下面に玉シマリ具を設けるとともに、この玉シマリ具が係合し得る受部を、前記回転棚の下面またはスライド棚の上面に設けて、前記回転棚が前記スライド棚の所定位置に固定されるようにしたことを特徴とする請求項１に記載の陳列棚。
【請求項３】
前記ブラケットの一対の前端下面に前記スライド棚のスライド方向に略直交する棚フレームを取付けて、両ブラケットの補強を行うようにしたことを特徴とする請求項１または請求項２に記載の陳列棚。
【請求項４】
前記スライド棚の前端下面に水平軸に対して上下動するストッパを取付けて、前記スライド棚が一番奥に納められたとき、前記ストッパの係合部が前記棚フレームに係合して各ブラケットに対するスライド棚の固定を行うようにしたことを特徴とする請求項３に記載の陳列棚。
【発明の詳細な説明】
【０００１】
【産業上に利用分野】
本発明は、種々な商品の陳列を行うための棚に関し、特に、一般消費者が多く利用するスーパーやコンビニエンスストア等の一般販売店において使用するのに適した陳列棚に関するものである。
【０００２】
【従来の技術】
例えば、スーパーやコンビニエンスストアにおいては、限られた店舗スペースに多種の商品を大量に陳列するとともに、通路に立った一般消費者が手に取り易いようにするために、手前側が開いた陳列棚が採用されている。そして、この陳列棚の向こう側は、仕切壁等によって塞がれていて、商品の追加は手前側からしか行えないようになっている。
【０００３】
ところで、スーパーやコンビニエンスストア側で商品の追加を行う場合には、その棚で売れ残っている商品をまず手前側に出して、その後側に商品の追加を行うようにしている。これは、賞味期限がある商品については、古いものから先に一般消費者に購入してもらうためである。このような商品の追加を行おうとすると、通常商品は手前側のものから売れていくことになるから、残りの商品は奥の方にあり、これらをまず手前に引き出さなければならない。そして、追加商品はその後側に並べる必要がある。
【０００４】
この種の陳列棚は、限られた店舗スペースを有効に利用しなければならないこともあって、上下左右に隣接した状態で配置されているから、上記の残り商品を手前に出すことや、追加商品をその後方に並べる作業は、他の陳列棚が邪魔になってしづらいだけでなく、腰をかがめて中を覗き込まなければならないこともあって、簡単には行えない。
【０００５】
また、終日営業しているコンビニエンスストア等では、時間帯によって売れ筋の商品が異なるため、時間帯に応じて商品の入れ替えを行わなければならないが、その場合、前の時間帯で売れ残った商品については、棚の後方や別の場所に移動させなければならない。これらの作業も、前述した商品の追加作業の場合と同様に、隣接している他の陳列棚が邪魔になってしづらく、腰をかがめて中を覗き込まなければならない。
【０００６】
いずれの場合にしても、スーパーやコンビニエンスストア等で従来より一般に使用されている棚では、商品の追加や、時間帯に応じた商品の入れ替え作業を店員が手作業で行っていたのであり、これだけに相当の時間や手間が掛っていたのである。
【０００７】
そこで、本発明者等は、上記実状を改善するにはどうしたらよいか、について種々検討を重ねてきた結果、本発明を完成したのである。
【０００８】
【発明が解決しようとする課題】
本発明は、上記経緯に基づいてなされたもので、その解決しようとする課題は、スーパーやコンビニエンスストア等の店舗において使用されている棚における上記実状を改善することである。
【０００９】
すなわち、まず請求項１に係る発明の目的とすることろは、手前側からの商品の追加や入れ替えを簡単にしかも短時間内に行えるようにして、店員の負担を軽減することのできる陳列棚を提供することにある。
【００１０】
また、請求項２に係る発明の目的とするところは、上記請求項１と同様な目的を達成することができる他、回転棚のスライド棚に対する位置決め及び固定を簡単院行うことのできる陳列棚を提供することにある。
【００１１】
さらに、請求項３及び請求項４に係る発明の目的とするところは、上記請求項１または請求項２に係る発明と同様な目的を達成することができる他、回転棚を安定的に支えることができ、収納時のロックも確実に行うことのできる陳列棚を提供することにある。
【００１２】
【課題を解決するための手段】
以上の課題を解決するために、まず、請求項１に係る発明の採った手段は、後述する実施の形態の説明中において使用する符号を付して説明すると、
「適宜場所に立設される支柱１１と、この支柱１１に略水平状に支持されて、内側面に伸縮自在な引出レール１２ａを有するブラケット１２と、このブラケット１２の引出レール１２ａに支持されるブライド棚１３と、このスライド棚１３上にスラストベアリング１４ａを介して回転可能に支持した回転棚１４とを備えて、
回転棚１４を、引出レール１２ａによりスライド棚１３とともに手前側に引き出し可能とするとともに、引き出されたスライド棚１３上にて回転可能としたことを特徴とする陳列棚１０」
である。
【００１３】
すなわち、この請求項１の陳列棚１０は、図１及び図５に示すように、これを構成するスライド棚１３が各ブラケット１２間にて手前側に引出可能となっているのであり、このスライド棚１３上にスラストベアリング１４ａを介して載置及び取付けを行った回転棚１４の回転も行えるようにしたものである。
【００１４】
つまり、商品の追加を行いたい場合、スーパー等の店員がスライド棚１３を回転棚１４とともに手前側に引き出すのであり、これにより、回転棚１４の上面全体が他の陳列棚１０から突出することになる。このようになれば、売れ残った商品を手前側に送り出す作業も、その後方側への商品の追加も、他の隣接する陳列棚１０に邪魔をされることなく、また腰をかがめたり奥を覗き込んだりしなくても楽に行えることになるのである。
【００１５】
時間帯に応じた商品の変更を行いたい場合には、スライド棚１３とともに手前側に引き出した回転棚１４を１８０度回転させれば、それまで奥にあった商品を完全に手前側に配置することが簡単かつ短時間内で行える。勿論、この回転棚１４を回転させることにより、前述した売れ残り商品の手前側への移動を省略することもできる。
【００１６】
従って、この請求項１に係る陳列棚１０は、商品の追加や変更を、スライド棚１３の引き出しや回転棚１４の回転という簡単な操作で行えるのであり、店員の負担を大きく軽減することができるものとなっているのである。
【００１７】
上記課題を解決するために、請求項２に係る発明の採った手段は、上記請求項１の陳列棚１０について、
「スライド棚１３の上面または回転棚１４の下面に玉シマリ具１５を設けるとともに、この玉シマリ具１５ａが係合し得る受部１５ａを、回転棚１４の下面またはスライド棚１３の上面に設けて、回転棚１４がスライド棚１３の所定位置に固定されるようにしたこと」
である。
【００１８】
すなわち、この請求項２の陳列棚１０は、図４及び図６に示すように、スライド棚１３または回転棚１４の一方に玉シマリ具１５を設けておき、この玉シマリ具１５が係合する受部１５ａを回転棚１４またはスライド棚１３に設けたものであり、玉シマリ具１５が受部１５ａに係合することにより、回転棚１４のスライド棚１３に対する所定位置での軽い固定を行えるようにしたものである。
【００１９】
玉シマリ具１５としては、例えばスライド棚１３または回転棚１４上に突出することになるスチールボールと、これを内側から押し上げるスプリングとにより構成したものが採用されるのであり、この玉シマリ具１５が係合することになる受部１５ａは、図２等において示すような単なる穴であっても良い。この穴は、玉シマリ具１５を構成しているスチールボールの直径より小さいものであることは言うまでもない。
【００２０】
以上のような玉シマリ具１５は、回転棚１４のスライド棚１３に対する位置決めを行うものであるから、例えば図５に示すように、スライド棚１３の手前側の左右に１個ずつ、合計２個設ければ十分である。これに対して、これらの玉シマリ具１５が係合することになる受部１５ａは、１８０度の回転を考慮している実施形態の場合では、回転棚１４の４隅に合計４個設けて置くのが最良である。なお、３６０度、つまり１回転のみを行う場合には、玉シマリ具１５も受部１５ａも１個ずつあれば十分であるし、各玉シマリ具１５及び受部１５ａは、図示したのとは逆に形成したり取付けたりしてもよい。
【００２１】
回転棚１４を回転させて、これに形成してあった受部１５ａにスライド棚１３側の玉シマリ具１５が係合するようにすれば、玉シマリ具１５を構成しているスプリングの作業により、玉シマリ具１５が穴である受部１５ａ内に嵌り込むため、両者は、その位置、例えば図２に示したような位置で位置決めされかつ固定されるのである。これにより、スライド棚１３の出し入れは、その上に文字通り回転し得る回転棚１４があったとしても、安定して行えるのである。
【００２２】
したがって、この請求項２の陳列棚１０は、上記請求項１のそれと同様な機能を発揮する他、回転棚１４のスライド棚１３に対する位置決め及び固定を簡単に行え、結果的に店員の作業負担をより軽減することができるのである。
【００２３】
上記課題を解決するために、請求項３に係る発明の採った手段は、上記請求項１または２の陳列棚１０について、
「ブラケット１２の一対の前端下面にスライド棚１３のスライド方向に略直交する棚フレーム１６を取付けて、両ブラケット１２の補強を行うようにしたこと」
である。
【００２４】
すなわち、この請求項３の陳列棚１０は、１つのスライド棚１３の両側を支えることになる２本のブラケット１２について、その各前端下面に取付けた棚フレーム１６によって安定化するようにしたものである。この棚フレーム１６は、スライド棚１３のスライド方向に対して略直交するものとして取付けられるものである。
【００２５】
従って、この請求項３に係る陳列棚１０は、棚フレーム１６によって２本のブラケット１２の前端が固定されることになり、各ブラケット１２の先端部の補強がなされて、引き出されたスライド棚１３や回転棚１４の支持は勿論、その引出しや収納操作を安定した状態で行えるものとなっている。
【００２６】
そして、請求項４に係る発明の採った手段は、上記請求項３に係る陳列棚１０について、
「スライド棚１３の前端下面に水平軸１７ａに対して上下動するストッパ１７を取付けて、スライド棚１３が一番奥に納められたとき、ストッパ１７の係合部１７ａが棚フレーム１６に係合して各ブラケット１２に対するスライド棚１３の固定を行うようにしたこと」
である。
【００２７】
すなわち、この請求項４に係る陳列棚１０は、図４及び図６に示すように、スライド棚１３の前端下面の略中央に水平軸１７ａによって取付けたストッパ１７によって、図２に示すように納められたスライド棚１３を、棚フレーム１６、従って両ブラケット１２側に固定するようにしたものである。
【００２８】
このストッパ１７は、スライド棚１３が所定位置に納められたとき、図４にも示すように、その係合部１７ｂが棚フレーム１６の後側に係合するようになっており、後述する実施形態の係合部１７ｂは、スプリング１７ｄによって下方に付勢されているため、その係合状態がしっかりと保持されるようになっている。
【００２９】
また、このストッパ１７においては、係合部１７ｂの水平軸１７ａとは反対側部分がスライド棚１３の前端下方に突出する指掛け１７ｃとしてあるため、この指掛け１７ｃをスプリング１７ｄの付勢力に抗して押し下げれば、棚フレーム１６に対する係合部１７ｂの係合が解簡に解かれる。このストッパ１７の指掛け１７ｃを押したままにしていれば、スライド棚１３の引き出しが行えることは言うまでもない。
【００３０】
さらに、係合部１７ｂの前端（図４では図示右端）は傾斜面としてあるから、引き出されていたスライド棚１３をそのまま押し込めば、ストッパ１７の係合部１７ｂはその傾斜面により棚フレーム１６を簡単に乗り越えるのであり、スプリング１７ｄの作用によって、この係合部１７ｂの棚フレーム１６に対する係合も簡単に行えるのである。
【００３１】
従って、この請求項４に係る陳列棚１０は、上記請求項１〜請求項３のそれと同様な機能を発揮するとともに、ストッパ１７によって収納されたスライド棚１３の固定を確実に行えるものとなっているのである。
【００３２】
【発明の実施の形態】
次に、上記のように構成した各請求項に係る発明を、図面に示した実施の形態に係る陳列棚１０について説明するが、この実施形態の陳列棚１０は、上記各発明の全てを含むものである。
【００３３】
図１には、本発明に係る陳列棚１０の斜視図が示してあるが、この図１では、左右に並べた２つの陳列棚１０を１段とし、この１段を上下方向に３段設けるようにした例が示してある。そして、この図１に示した例では、最上段の右側に位置する陳列棚１０について、そのスライド棚１３を引き出すとともに、このスライド棚１３上の回転棚１４を少し回転させた状態が示してある。なお、図２には常態の陳列棚１０を２個並べたときの平面図が示してある。
【００３４】
さて、各陳列棚１０は、図１、図３及び図５に示したように、適宜場所に立設される支柱１１と、この支柱１１に略水平状に支持されて、内側面に伸縮自在な引出レール１２ａを有するブラケット１２と、このブラケット１２の引出レール１２ａに支持されるブライド棚１３と、このスライド棚１３上にスラストベアリング１４ａを介して回転可能に支持した回転棚１４とを備えたものである。
【００３５】
各支柱１１は、図１にも例示したようなものであり、店舗内の適宜部分または箇所に立設固定されるものである。この支柱１１の前面側には、図６にも示したように、ブラケット１２の各係合爪１２ｂを係合させるための支持穴１１ａが多数形成してあり、各ブラケット１２を水平上に支持することができるようにしたものである。
【００３６】
各ブラケット１２は、図６に示したように略三角形状のものであり、その後端の垂直には、支柱１１の支持穴１１ａ内に係合される複数の係合爪１２ｂが形成してある。また、各ブラケット１２の内側面には、伸長状態が図１に示したものとなる引出レール１２ａが取付けてあるが、この引出レール１２ａは、図３中に示した中央のブラケット１２については左右両側に設けられるものである。これら各引出レール１２ａは、スライド棚１３の両側を支持するとともに、このスライド棚１３の前端両側に先端が連絡されるものである。
【００３７】
スライド棚１３は、図１及び図４〜図６に示したように、平板上のものであり、その上に回転棚１４を載置してさせるのに十分な面積を有しているものである。このスライド棚１３の前部両側には、図１、図４及び図６に示したように、玉シマリ具１５が設けてあるが、これらの玉シマリ具１５は、スチールボールとこれを押し上げるスプリングとからなっているものである。そして、このスライド棚１３は、その中心に設けた回転軸によって、回転棚１４を回転可能に支持するものである。
【００３８】
回転棚１４は、図２中の点線にて示したスラストベアリング１４ａを介して、スライド棚１３上にて回転可能に支持されるものであり、この上に商品が直接陳列されることになるものである。また、この回転棚１４には、図２、図４及び図５に示したように、上記スライド棚１３側に設けてあった玉シマリ具１５が係合し得る受部１５ａが形成してある。なお、この回転棚１４に玉シマリ具１５を設け、これが係合し得る受部１５ａをスライド棚１３側に設けるように実施してもよい。
【００３９】
本実施形態の回転棚１４上は平にしたものであるが、この回転棚１４上または両側に、商品の区画を行う区画板の取付けを行えるようにする溝等を形成しておき、区画板の取付けが行えるように実施してもよいものである。
【００４０】
さて、実施形態の陳列棚１０においては、図４及び図６に示したように、一対のブラケット１２の前部下面に棚フレーム１６を固着して、両ブラケット１２の剛性を高めるようにしている。また、この陳列棚１０においては、図４及び図６に示したように、スライド棚１３の前部下面にストッパ１７が設けてある。
【００４１】
このストッパ１７は、図４に示したように、スライド棚１３の前端下面に水平軸１７ａを利用して上下に揺動可能に取付けたものであり、その奥側（図４では図示右端）に、両ブラケット１２間に架け渡されている棚フレーム１６に係合する係合部１７ｂを有しているものである。この係合部１７ｂは、その上方側に配置したスプリング１７ｄにより、常に下方に向けて付勢されているものであり、この付勢力に抗してストッパ１７の外端側（図４の図示左端）に形成した指掛け１７ｃを押圧することにより、シーソーのように、係合していた棚フレーム１６から上方に外れるものである。
【００４２】
【発明の効果】
以上、詳述した通り、各請求項に係る発明は、
「適宜場所に立設される支柱１１と、この支柱１１に略水平状に支持されて、内側面に伸縮自在な引出レール１２ａを有するブラケット１２と、このブラケット１２の引出レール１２ａに支持されるブライド棚１３と、このスライド棚１３上にスラストベアリング１４ａを介して回転可能に支持した回転棚１４とを備えて、
回転棚１４を、引出レール１２ａによりスライド棚１３とともに手前側に引き出し可能とするとともに、引き出されたスライド棚１３上にて回転可能としたこと」
にその主たる構成上の特徴があり、これにより、手前側からの商品の追加や入れ替えを簡単にしかも短時間内に行えるようにして、店員の負担を軽減することのできる陳列棚１０を提供することができるのである。
【図面の簡単な説明】
【図１】本発明に係る陳列棚を複数配列し、その内の１つのスライド棚を引き出して、さらにその上の回転棚を回転させた状態を示す斜視図である。
【図２】同陳列棚を左右に２つ並べたときの平面図である。
【図３】図２中の１−１線に沿ってみた拡大縦断面図である。
【図４】図２中の２−２線に沿ってみた拡大縦断面図である。
【図５】同陳列棚の部分平面図である。
【図５】同陳列棚であって、スライド棚を引き出し、回転棚を回転させた状態を示す平面図である。
【図６】図２中の３−３線に沿ってみた拡大縦断面図である。
【符号の説明】
１０　　陳列棚
１１　　　　支柱
１１ａ　　支持穴
１２　　　　ブラケット
１２ａ　　引出レール
１２ｂ　　係合爪
１３　　　　スライド棚
１４　　　　回転棚
１４ａ　　スラストベアリング
１５　　　　玉シマリ具
１５ａ　　受部
１６　　　　棚フレーム
１７　　　　ストッパ
１７ａ　　水平軸
１７ｂ　　係合部
１７ｃ　　指掛け
１７ｄ　　スプリング
【図１】
2004081294.tif 000003
【図２】
2004081294.tif 000004
【図３】
2004081294.tif 000005
【図４】
2004081294.tif 000006
【図５】
2004081294.tif 000007
【図６】
2004081294.tif 000008
【手続補正書】
【提出日】平成14年9月6日(2002.9.6)
【手続補正１】
【補正対象書類名】明細書
【補正対象項目名】図面の簡単な説明
【補正方法】変更
【補正の内容】
【図面の簡単な説明】
【図１】本発明に係る陳列棚を複数配列し、その内の１つのスライド棚を引き出して、さらにその上の回転棚を回転させた状態を示す斜視図である。
【図２】同陳列棚を左右に２つ並べたときの平面図である。
【図３】図２中の１−１線に沿ってみた拡大縦断面図である。
【図４】図２中の２−２線に沿ってみた拡大縦断面図である。
【図５】同陳列棚であって、スライド棚を引き出し、回転棚を回転させた状態を示す平面図である。
【図６】図２中の３−３線に沿ってみた拡大縦断面図である。